(57)【要約】      （修正有）【課題】  受話側の音量調整ボリュームの設定値に関わり無く、メッセージの通知が可能であるため、緊急時の通信などを聞き逃すことのない無線通信システムを提供する。【解決手段】  無線通信端末および基地局から構成される無線ネットワークの無線通信システムにおいて、無線通信端末が、送信側の送信データ内の制御信号に、通信の緊急度を示す通信モードと受話音量を示す音量調整値とを設定する制御信号設定部と、受信側の受信部において得た受信データから前記制御信号を取り出す制御信号処理部と、制御信号の音量調整値から、音声増幅回路を制御する音量調整部とを有し、基地局が、受信側の受信部において得た無線端末の送信データから制御信号を取り出す制御信号処理部と、送信側において、制御信号の通信モードから送信対象を判断し、音量調整値と共に送信対象に向けて、送信データを送信すべく送信部を制御する通話制御部とを有する。【選択図】      図１
2005252963.tif 000002
【特許請求の範囲】
【請求項１】
無線通信端末および基地局から構成される無線ネットワークの無線通信システムにおいて、
前記無線通信端末が、
送信側の送信データ内の制御信号に、通信の緊急度を示す通信モードと受話音量を示す音量調整値とを設定する制御信号設定部と、
受信側の受信部において得た受信データから前記制御信号を取り出す制御信号処理部と、
前記制御信号の前記音量調整値から、音声増幅回路を制御する音量調整部とを有し、
前記基地局が、
受信側の受信部において得た前記無線端末の送信データから前記制御信号を取り出す制御信号処理部と、
送信側において、前記制御信号の前記通信モードから送信対象を判断し、前記音量調整値と共に前記送信対象に向けて、前記送信データを送信すべく送信部を制御する通話制御部とを有することを特徴とする無線通信システム。
【請求項２】
無線通信端末および基地局から構成される無線ネットワークの無線通信システムにおける無線通信端末であって、
送信側の送信データ内の制御信号に、通信の緊急度を示す通信モードと受話音量を示す音量調整値とを設定する制御信号設定部と、
受信側の受信部において得た受信データから前記制御信号を取り出す制御信号処理部と、
前記制御信号の前記音量調整値から、音声増幅回路を制御する音量調整部とを有することを特徴とする無線通信端末。
【発明の詳細な説明】
【技術分野】
【０００１】
本発明は、無線通信システムにおける受話音量の制御に関する。
【背景技術】
【０００２】
従来、無線通信システムにおける受話音量の制御に関しては、特許文献１に記載されているような、地域エリアの送話音声伝送特性のエリア間の差を打ち消すように、送話および受話音量調整手段を持つ無線通信端末が示されている。しかしこのようなシステムにおいても、受話側で音量を絞ってしまっていると緊急時の通信などを聞き逃してしまう等の問題があった。
【特許文献１】特開２００２−２９０５３９号公報
【発明の開示】
【発明が解決しようとする課題】
【０００３】
本発明は、このような問題を解決するためになされたものであり、その目的は、受話側の音量調整ボリュームの設定値に関わり無く、メッセージを通知できる無線通信システムを提供する。
【課題を解決するための手段】
【０００４】
本発明の無線ネットワークにおける無線通信システムは、無線通信端末が、
送信側の送信データ内の制御信号に、通信の緊急度を示す通信モードと受話音量を示す音量調整値とを設定する制御信号設定部と、
受信側の受信部において得た受信データから前記制御信号を取り出す制御信号処理部と、
前記制御信号の前記音量調整値から、音声増幅回路を制御する音量調整部とを有し、
前記基地局が、
受信側の受信部において得た前記無線端末の送信データから前記制御信号を取り出す制御信号処理部と、
送信側において、前記制御信号の前記通信モードから送信対象を判断し、前記音量調整値と共に前記送信対象に向けて、前記送信データを送信すべく送信部を制御する通話制御部とを有することを特徴とする。
【０００５】
本発明の無線通信システムにおける無線通信端末は、
送信側の送信データ内の制御信号に、通信の緊急度を示す通信モードと受話音量を示す音量調整値とを設定する制御信号設定部と、
受信側の受信部において得た受信データから前記制御信号を取り出す制御信号処理部と、
前記制御信号の前記音量調整値から、音声増幅回路を制御する音量調整部とを有することを特徴とする。
【発明の効果】
【０００６】
本発明の無線通信システムによれば、受話側の音量調整ボリュームの設定値に関わり無く、メッセージの通知が可能であるため、緊急時の通信などを聞き逃すことのない無線通信システムを提供できる。
【発明を実施するための最良の形態】
【０００７】
本発明による、無線通信システムの実施の形態について図面を用いて説明する。図１は、本発明の無線通信端末の構成を示すブロック図である。制御信号設定部１０および音量調整部１７は、それぞれ、プロセッサ２０および２２とメモリ２１および２３とから構成されている。図２は、音声信号列の前に付与される制御信号列を示す制御信号フォーマットである。
【０００８】
まず無線通信端末において、図２に示す通信モードを緊急通信とした場合について説明する。通信モードで緊急モードが選択されると、図１の制御信号設定部１０のプロセッサ２０は、メモリ２１から、指定された通信モードの制御信号である緊急通信のフォーマットを取り出して、ベースバンド部１１の制御信号列にセットする。音声調整値は、この操作に付随して自動的に、緊急通信の音量調整値にセットされる。ベースバンド部１１でセットされた一連の制御信号列は、音声信号列と共に、送信部１２から送信される。一般的には、通常通信は操作上デフォルトでセットされており、この場合は、音量調整値もデフォルトで無調整となっている。
【０００９】
次に無線通信端末が、緊急通信を受信した場合について説明する。図１の制御信号処理部１４は、受信部１３の受信信号から音声信号と制御信号を分離し、制御信号を音量調整部１７へ送る。音量調整部１７のプロセッサ２２は、受け取った制御信号とメモリ２３の制御信号データから緊急通信を判断し、セットされている緊急通信の音量調整値で音声増幅回路１８の音声出力を制御する。このとき、音声増幅回路１８の音声レベルは、直前にセットされていたレベルとは無関係に、緊急通信の音声調整値にセットされる。スピーカ１９は、音声増幅回路１８の音声出力により駆動される。通常通信においては、音声調整値はデフォルトで無調整となっているため、ボリューム１５の回転量で決まる音声レベルのアナログ値が、アナログ・ディジタル変換部１６でデジタル信号に変換され、音声調整部１７を介して音声増幅回路１８を制御している。
【００１０】
次に無線通信端末が、図２の一斉同報通信モードでデータを送信した場合の、基地局の機能について説明する。図３は、本発明による基地局の構成を示すブロック図である。通信制御部３２は、プロセッサ３５とメモリ３６とから構成されている。
【００１１】
図３の制御信号処理部３１は、受信部３０の受信信号から音声信号と制御信号を分離し、制御信号を通信制御部３２へ送る。通信制御部３２のプロセッサ３５は、受け取った制御信号とメモリ３６の制御信号データから一斉同報通信と判断し、メモリ３６に登録されている業務用無線通信端末に向けて一斉に送信を開始すべく、ベースバンド部３３の制御信号列をセットする。このとき音声調整値は、この操作に付随して自動的に、一斉同報の音量調整値にセットされる。ベースバンド部３３で整えられた制御信号列は、音声信号列と共に送信部３４から送信される。この送信データを受けた無線端末は、図１で説明した緊急通信の受信の場合と同様の手続で通話がなされる。
【００１２】
以上説明したように、この無線通信システムによれば、受話側の音量調整ボリュームの設定値に関わり無く、優先度に応じたメッセージを自動設定された音声出力で通知できる。従って、通信モードの種類、音量調整値の設定については、本実施例に限定されない。また緊急通信が終了すると、直前にセットされていた音声レベルに、自動的に再セットすることも可能である。さらに、無線通信端末の制御信号設定部１０および音量調整部１７のプロセッサ２０および２２、メモリ２１および２３を、１つのプロセッサおよびメモリで構成することも可能である。
【産業上の利用可能性】
【００１３】
本発明は、受信側の音声レベルの設定状況に関わり無く、送信側の通信の重要度に応じて受信側の受信音量レベルを自動的に設定する必要がある通信網に、利用することが可能である。
【図面の簡単な説明】
【００１４】
【図１】本発明による無線通信端末の構成を示すブロック図である。
【図２】本発明の制御信号列を示す制御信号フォーマットである。
【図３】本発明による基地局の構成を示すブロック図である。
【符号の説明】
【００１５】
１０    制御信号設定部
１１，３３    ベースバンド部
１２，３４    送信部
１３，３０    受信部
１４，３１    制御信号処理部
１５    ボリューム
１６    アナログ・ディジタル変換部
１７    音量調整部
１８    音声増幅回路
１９    スピーカ
２０，２２，３５    プロセッサ
２１，２３，３６    メモリ
３２    通信制御部
【図１】
2005252963.tif 000003
【図２】
2005252963.tif 000004
【図３】
2005252963.tif 000005